(57)【要約】【課題】実際の電気機器の一つ次に配線すべき部品及びその端子を探し易くすることにより、作業効率を高めるとともに配線ミスを防止し、また、配線作業者に配線時間を認識させることによっても、作業効率を高める。【解決手段】コンピュータにより制御されるディスプレイ２０に、電気機器の複数の部品２３ｐ，２３ｑを実体的な形状及び配置で表示する。そして、配線作業者によって次表示ボタン３１が選択される度に、順次、一つ次に配線すべき電線２５ｂを、複数の部品２３ｐ，２３ｑの所定の端子２４，２４間を結ぶ線で表示する。このとき、該電線２５ｂの配線作業にかかる基準の時間として予め定められた基準作業時間から該電線２５ｂの表示開始後の経過時間を引いた残作業時間４６ｂも表示する。また、このとき、一つ前の電線２５ａの表示も残す。【選択図】図３
2010246349.tif 000002
【特許請求の範囲】
【請求項１】
コンピュータにより制御されるディスプレイ（２０）に、電気機器の複数の部品（２３ｐ，２３ｑ，２３ｒ）を実体的な形状及び配置で表示し、
かつ、配線作業者によって次表示ボタン（３１）が選択される度に、順次、一つ次に配線すべき電線（２５ｂ，２５ｃ）を、前記複数の部品（２３ｐ，２３ｑ，２３ｒ）の所定の端子（２４）間を結ぶ線で表示し、
かつ、該電線（２５ｂ，２５ｃ）の配線作業にかかる基準の時間として予め定められた基準作業時間から該電線（２５ｂ，２５ｃ）の表示開始後の経過時間を引いた残作業時間（４６ｂ，４６ｃ）を表示する配線支援装置。
【請求項２】
前記次表示ボタン（３１）が選択されて、一つ次に配線すべき電線（２５ｂ，２５ｃ）を表示したとき、一つ前の電線（２５ａ，２５ｂ）の表示も残す請求項１記載の配線支援装置。
【請求項３】
一つ次に配線すべき電線（２５ｂ，２５ｃ）と一つ前の電線（２５ａ，２５ｂ）とは、色、太さ又は線種の異なる線で表示する請求項２記載の配線支援装置。
【請求項４】
配線作業者によって前表示ボタン（３２）が選択される度に、順次、一つ前の表示状態に戻す請求項１〜３のいずれか一項に記載の配線支援装置。
【請求項５】
配線作業者によって一時停止ボタン（３３）が選択されると、残作業時間（４６ｂ，４６ｃ）の進行を一時的に停止させる請求項１〜４のいずれか一項に記載の配線支援装置。
【請求項６】
残作業時間（４６ｂ）が０になる前の余剰値のときに、前記次表示ボタン（３１）が選択されて、一つ次に配線すべき電線（２５ｃ）を表示した場合には、該一つ次に配線すべき電線（２５ｃ）の残作業時間（４６ｃ）は前記余剰値を加算して表示し、
残作業時間（４６ｂ）が０になった後の遅滞値のときに、前記次表示ボタン（３１）が選択されて、一つ次に配線すべき電線（２５ｃ）を表示した場合には、該一つ次に配線すべき電線（２５ｃ）の残作業時間（４６ｃ）は前記遅滞値を減算して表示する請求項１〜５のいずれか一項に記載の配線支援装置。
【発明の詳細な説明】
【技術分野】
【０００１】
本発明は、電気配線が必要な電気機器（特に配電盤、分電盤、制御盤、操作盤等の電気器盤）において、配線作業を支援するための装置に関する。
【背景技術】
【０００２】
配電盤、分電盤、制御盤、操作盤等の電気器盤を組み立てるには、基盤に端子台、コネクタ、スイッチ、ブレーカー等の部品を配置した後、配線作業者が、予め作成した図６に示すような配線表９０を見ながら、電線を一つずつ特定の部品の端子間を結ぶように配線するのが一般的である（特許文献１の図１２参照）。
【０００３】
その配線表９０には、例えば、図６に示すように、電線の種類や大きさ等に関する電線情報９１と、その電線の両端の端子の種類や大きさ等に関する電線側端子情報９２，９３と、その両端の端子を接続する２つの部品側の端子に関する部品側端子情報９４とが文字や符号等で表示されている。
【先行技術文献】
【特許文献】
【０００４】
【特許文献１】特開平１０−１８７２１４号公報
【発明の開示】
【発明が解決しようとする課題】
【０００５】
ところが、この配線表９０を見ながらの配線作業では、文字や符号等で表示された部品側端子情報９４を基に、実際の電気機器の一つ次に配線すべき部品及びその端子を探すため、探すのに時間がかかり作業効率が悪いという問題や、探し間違えて配線ミスを起こすという問題がある。
【０００６】
また、経験が浅く未熟な作業者は、当然に配線作業が遅いので、早期の上達が望まれるところであるが、配線に時間がかかっているという認識がないまま漫然と作業しているとなかなか上達せず、作業効率が上がらない原因となっていた。
【０００７】
そこで、本発明の目的は、実際の電気機器の一つ次に配線すべき部品及びその端子を探し易くすることにより、作業効率を高めるとともに配線ミスを防止し、また、配線作業者に配線時間を認識させることによっても、作業効率を高めることにある。
【課題を解決するための手段】
【０００８】
上記目的を達成するため、本発明の配線支援装置は、コンピュータにより制御されるディスプレイに、電気機器の複数の部品を実体的な形状及び配置で表示し、かつ、配線作業者によって次表示ボタンが選択される度に、順次、一つ次に配線すべき電線を、前記複数の部品の所定の端子間を結ぶ線で表示し、かつ、該電線の配線作業にかかる基準の時間として予め定められた基準作業時間から該電線の表示開始後の経過時間を引いた残作業時間を表示する。
【０００９】
ここで、ディスプレイに、電気機器の複数の部品を実体的な形状及び配置で表示し、かつ、順次、一つ次に配線すべき電線を、前記複数の部品の所定の端子間を結ぶ線で表示するのは、このようにして、視覚的に把握しやすい実体配線図を、一つ次に配線すべき電線に注視できるような態様で、配線作業者に示すことにより、実際の電気機器の一つ次に配線すべき部品及びその端子を探し易くすることができるからである。
【００１０】
また、ディスプレイに、基準作業時間から電線の表示開始後の経過時間を引いた残作業時間を表示するのは、配線作業者に配線時間を認識させることができるからである。
【００１１】
前記配線支援装置は、特に限定されないが、前記次表示ボタンが選択されて、一つ次に配線すべき電線を表示したとき、一つ前の電線の表示も残すことが好ましい。一つ次に配線すべき電線の、一つ前の電線に対する相対位置関係が分かることで、実際の電気機器の一つ次に配線すべき部品及びその端子をより探し易くなり、また、一つ前の電線の配線を確認できるからである。
【００１２】
この場合、一つ次に配線すべき電線と一つ前の電線とは、色、太さ又は線種の異なる線で表示することが好ましい。両電線を区別し易くするためである。より具体的には、一つ次に配線すべき電線は、常に、一定の色、太さ及び線種の線で表示し、一つ前の電線は、常に、別の一定の色、太さ及び線種の線で表示するように規則付けることが好ましい。次に配線すべき電線と、既に配線した電線とを混同しなくなるからである。
【００１３】
また、配線作業者によって前表示ボタンが選択される度に、順次、一つ前の表示状態に戻すことが好ましい。配線作業中に配線ミスが疑われたときには、一つ前の表示状態に戻すことで配線の正誤を確認できるからである。
【００１４】
また、配線作業者によって一時停止ボタンが選択されると、残作業時間の進行を一時的に停止させることが好ましい。種々の理由により配線作業を中断するときの便のためである。
【００１５】
これら次表示ボタン、前表示ボタン及び一時停止ボタンは、ディスプレイに表示される画像ボタンでもよいし、ディスプレイとは別に設けられるスイッチボタンでもよいし、これらの組み合わせでもよい。画像ボタンの場合は、マウス、トラックボール、タッチパッド等のポインティングデバイスでカーソルを合わせて選択したり、ディスプレイをタッチパネル式にして指、タッチペン等で触れて選択したりすることができる。スイッチボタンの場合は、指、タッチペン等で操作して選択することができる。
【００１６】
また、前記残作業時間は、特に限定されないが、次のように表示することが好ましい。すなわち、残作業時間が０になる前の余剰値のときに、前記次表示ボタンが選択されて、一つ次に配線すべき電線を表示した場合には、該一つ次に配線すべき電線の残作業時間は前記余剰値を加算して表示し、残作業時間が０になった後の遅滞値のときに、前記次表示ボタンが選択されて、一つ次に配線すべき電線を表示した場合には、該一つ次に配線すべき電線の残作業時間は前記遅滞値を減算して表示することである。こうすることにより、一つの配線が早くできれば次の配線に余裕をもてる一方、一つの配線が遅れれば次の配線を早める、といった目安を配線作業者に与えて、トータルの配線時間を認識させることができるからである。
【００１７】
また、前記ディスプレイに、一つ次に配線すべき電線に関する電線情報と、該電線の両端の端子に関する端子情報とを、文字又は符号で表示することが好ましい。一つ次に配線すべき電線を簡単に確認することができるからである。
【発明の効果】
【００１８】
本発明によれば、実際の電気機器の一つ次に配線すべき部品及びその端子を探し易くすることにより、作業効率を高めるとともに配線ミスを防止することができる。また、配線作業者に配線時間を認識させることによっても、作業効率を高めることができる。
【図面の簡単な説明】
【００１９】
【図１】本発明の実施例１の配線支援装置を示す斜視図である。
【図２】同実施例１の配線支援装置の実体配線図の１ページ目を示す正面図である。
【図３】同実施例１の配線支援装置の実体配線図の２ページ目を示す正面図である。
【図４】同実施例１の配線支援装置の実体配線図の３ページ目を示す正面図である。
【図５】本発明の実施例２の配線支援装置を（ａ）に示し、本発明の実施例３の配線支援装置を（ｂ）に示す斜視図である。
【図６】従来例の配線表を示す平面図である。
【発明を実施するための形態】
【実施例１】
【００２０】
図１〜図４に示す実施例１は、本発明を、電気機器の一例である配電盤の配線作業を支援する配線支援装置９に具体化したものである。周知のとおり、配電盤は、その基盤上に端子台２３ｐ、ノイズフィルタ２３ｑ、パワーシーケンス２３ｒ等の各部品が配置され、配線作業者がそれら各部品の端子２４，２４・・間に電線２５ａ，２５ｂ，２５ｃを配線して製造される。この配線支援装置９は、配電盤の実体配線図２２や、その他の関連情報４１〜４８を表示して、配線作業を支援するものである。
【００２１】
この配線支援装置９は、コンピュータ本体１０と、キーボード及びマウス又はタッチパッド等の操作部１５と、ディスプレイ２０とを備えるノート型のパソコンに、所定の配線支援プログラムがインストールされてなる。
【００２２】
コンピュータ本体１０は、配線支援プログラムを実行するためのＣＰＵを含む制御部１１と、配線支援プログラムや配線支援する電気機器の配線情報等を格納する記憶部１２とを含む。そして、該コンピュータ本体１０による制御により、ディスプレイ２０に、タイトル２１及び実体配線図２２を表示するとともに、各操作ボタン３１〜３８及び各関連情報４１〜４８を表示する。なお、図２〜図４のディスプレイ２０に示す、タイトル２１、実体配線図２２、各操作ボタン３１〜３８及び各関連情報４１〜４８の配置や形状は例示であり、適宜変更できる。
【００２３】
［タイトル２１］
タイトル２１は、配電盤の名称、型番等（その他、例えば配線作業の名称でもよい）を文字や符号等で表示するものであり、図示例では上段中央部に表示されている。
【００２４】
［実体配線図２２］
実体配線図２２は、端子台２３ｐ、ノイズフィルタ２３ｑ、パワーシーケンス２３ｒ等の配電盤の各部品を、実体的な形状及び基盤上での実体的な配置で表示するとともに、それら各部品に配線する電線２５ａ，２５ｂ，２５ｃを表示するものであり、図示例では中段中央部に大きく表示される。但し、この実体配線図２２に、配電盤の全体を表示できない場合には、該配電盤の全体のうち、表示すべき部品２３ｐ，２３ｑ，２３ｒ及び電線２５ａ，２５ｂ，２５ｃが現れる一部分のみを、後述するページごとに自動的にスクロールして表示する。なお、図２〜図４の実体配線図２２に示す配電盤の態様は例示であり、適宜変更できる。
【００２５】
［各操作ボタン３１〜３８］
各操作ボタン３１〜３８は、配線作業者によって、マウス、タッチパッド等のポインティングデバイスでカーソルを合わせて選択される画像ボタンである。ここでいう各操作ボタン３１〜３８には、次表示ボタン３１、前表示ボタン３２、一時停止ボタン３３、拡大ボタン３４、縮小ボタン３５、原寸ボタン３６、ジャンプボタン３７及び作業中止ボタン３８が含まれる。
【００２６】
次表示ボタン３１は、一つ次に配線すべき電線２５ｂ，２５ｃを実体配線図２２に表示させるためのボタンであって、図示例ではディスプレイ２０の下段中央部（右）に表示されている。そして、この次表示ボタン３１が配線作業者によって選択される度に、順次、一つ次に配線すべき電線２５ｂ，２５ｃが、実体配線図２２に、配電盤の部品２３ｐ，２３ｑ，２３ｒの所定の端子２４，２４・・間を結ぶ赤色の太い破線で表示される。このとき、一つ前に配線した電線２５ａ，２５ｂの表示も残され、該電線２５ａ，２５ｂは、配線作業者が混同しないように、青色の細い破線で表示される。そして、２つ以上前に配線した電線の表示は消える。すなわち、ディスプレイ２０には、一つ次に配線すべき電線２５ｂ，２５ｃと、一つ前に配線した電線２５ａ，２５ｂとの２本の電線のみが表示される。なお、このように、次表示ボタン３１が選択される度に、電線２５ａ，２５ｂ，２５ｃの表示（及び上記のスクロール）が変化していく実体配線図２２の各表示状態を「ページ」と称する。
【００２７】
前表示ボタン３２は、実体配線図２２を一つ前の表示状態に戻すためのボタンであって、図示例ではディスプレイ２０の下段中央部（左）に表示されている。そして、この前表示ボタン３２が配線作業者によって選択される度に、順次、実体配線図２２が一つ前の表示状態（ページ）に戻される。そして、このとき、後述する残作業時間４６ｂ，４６ｃも、一つ前の電線２５ａ，２５ｂの残作業時間４６ａ，４６ｂに戻される。
【００２８】
一時停止ボタン３３は、配線作業を休憩又は中断する際に選択するボタンであって、図示例ではディスプレイ２０の下段中央部（中央）に表示されている。そして、この一時停止ボタン３３が配線作業者によって選択されると、後述する総作業時間４５と残作業時間４６ａ，４６ｂ，４６ｃとの進行が一時的に停止する。
【００２９】
拡大ボタン３４は、実体配線図２２の表示を拡大するためのボタンである。また、縮小ボタン３５は、実体配線図２２の表示を縮小するためのボタンである。また、原寸ボタン３６は、それら拡大及び縮小を元に戻すためのボタンである。これら拡大ボタン３４、縮小ボタン３５及び原寸ボタン３６は、図示例ではディスプレイ２０の中段左部に表示されている。
【００３０】
ジャンプボタン３７は、ページをジャンプさせるためのボタンであって、図示例ではディスプレイ２０の中段右部に表示されている。そして、このジャンプボタン３７が配線作業者によって選択されると、ジャンプ先のページを指定するための画面が表示される。
【００３１】
作業中止ボタン３８は、作業を中止させるためのボタンであって、図示例ではディスプレイ２０の上段右部に表示されている。そして、この作業中止ボタン３８が配線作業者によって選択されると、途中のページであっても該配線支援装置９による配線支援が終了する。
【００３２】
［各関連情報４１〜４８］
ここでいう各関連情報４１〜４８には、電線情報４１、電線側端子情報４２，４３、部品側端子情報４４、総作業時間４５、残作業時間４６ａ，４６ｂ，４６ｃ、ページ情報４７及び時刻４８が含まれる。
【００３３】
電線情報４１は、一つ次に配線すべき電線２５ａ，２５ｂ，２５ｃに関する情報であって、図示例ではディスプレイ２０の下段右部（上段）に表示されている。この電線情報４１には、該電線２５ａ，２５ｂ，２５ｃの線番を示す線番情報（線番：）と、該電線２５ａ，２５ｂ，２５ｃの線種を示す線種情報（線種：）と、該電線２５ａ，２５ｂ，２５ｃの色を示す色情報（色：）と、該電線２５ａ，２５ｂ，２５ｃの長さを示す長さ情報（長さ：）とが、文字や符号等で表示される。
【００３４】
電線側端子情報４２，４３は、一つ次に配線すべき電線２５ａ，２５ｂ，２５ｃの両端の端子に関する情報であって、図示例ではディスプレイ２０の下段右部（中段）に表示されている。この電線側端子情報４２，４３には、該端子の色を示す色情報（ＴＣ色：）と、該端子の大きさ及び形状を示す端子情報（端子：）と、該端子の方向を示す方向情報（方向：）とが、文字や符号等で表示される。
【００３５】
部品側端子情報４４は、一つ次に配線すべき電線２５ａ，２５ｂ，２５ｃの両端の端子を接続すべき、２つの部品側の端子２４，２４に関する情報であって、図示例ではディスプレイ２０の下段右部（下段）に表示されている。この部品側端子情報４４には、それらの２つの端子２４，２４を示す名称や略称等が、文字や符号等で表示される。
【００３６】
総作業時間４５は、作業開始からの経過時間を示すものであって、図示例ではディスプレイ２０の下段左部（上段）に表示されている。
【００３７】
残作業時間４６ａ，４６ｂ，４６ｃは、一つ次に配線すべき電線２５ａ，２５ｂ，２５ｃの配線作業を完了させるまでに費やせる残りの時間の目安を示すものであって、図示例ではディスプレイ２０の下段左部（下段）に表示されている。この残作業時間４６ａ，４６ｂ，４６ｃは、一つ次に配線すべき電線２５ａ，２５ｂ，２５ｃの配線作業にかかる基準の時間として予め定められた基準作業時間から、該電線２５ａ，２５ｂ，２５ｃの表示開始後の経過時間を引いた時間である。
【００３８】
そして、例えば、この残作業時間４６ａ，４６ｂが０になる前の余剰値のときに、次表示ボタン３１が選択されて、一つ次に配線すべき電線２５ｂ，２５ｃが表示された場合には、該一つ次に配線すべき電線２５ｂ，２５ｃの残作業時間４６ｂ，４６ｃは、該余剰値を加算して表示される。また、例えば、この残作業時間４６ａ，４６ｂが０になった後の遅滞値のときに、次表示ボタン３１が選択されて、一つ次に配線すべき電線２５ｂ，２５ｃが表示された場合には、該一つ次に配線すべき電線２５ｂ，２５ｃの残作業時間４６ｂ，４６ｃは、該遅滞値を減算して表示される。
【００３９】
ページ情報４７は、分母に配線作業の全工程の数を示し、分子に、現在の配線作業が全工程の何番目であるかを示すものであって、図示例ではディスプレイ２０の中段右部に表示されている。
【００４０】
時刻４８は、現在の時刻を示すものであって、図示例ではディスプレイ２０の上段左部に表示されている。
【００４１】
次に、この配線支援装置９を使用して、配電盤の配線作業を支援した際の様子を説明する。以下には、図６に示す従来例の配線表９０の１行目から３行目までに示す配電盤の配線作業を、この配線支援装置９で支援した際の様子（１ページ目〜３ページ目）を示している。
【００４２】
［１ページ目］
まず、図２に示すように、実体配線図２２の１ページ目に、最初に配線すべき１本目の電線２５ａが、例えば、端子台２３ｐの所定の端子２４とノイズフィルタ２３ｑの所定の端子２４とを結ぶ赤色の太い破線で表示される。このとき、該１本目の電線２５ａの残作業時間４６ａとしては、該１本目の電線２５ａの基準作業時間、例えば２分（２：００）が、図２に示すように、まず最初に表示され、それから１秒経過する度に、該基準作業時間（２：００）から該１本目の電線２５ａの表示開始後の経過時間を引いた時間が順次表示される。それらの電線２５ａの表示と残作業時間４６ａの表示とを参考に、配線作業者が実際の配電盤で実際に１本目の電線を、残作業時間４６ａ内に作業を完了させることを目標に配線する。そして、その１本目の電線の配線作業が完了すると、配線作業者は、次表示ボタン３１を選択する。その次表示ボタン３１を選択するタイミングは様々であるが、ここでは、例えば、該１本目の電線２５ａの表示開始から１分５０秒（１：５０）後、すなわち、残作業時間４６ａが０になる前の余剰値（０：１０）のときに選択したものとする。
【００４３】
［２ページ目］
そして、このようにして次表示ボタン３１が選択されると、図３に示すように、実体配線図２２の２ページ目に、次に配線すべき２本目の電線２５ｂが、例えば、端子台２３ｐの所定の端子２４とノイズフィルタ２３ｑの所定の端子２４とを結ぶ赤色の太い破線で表示されるとともに、一つ前の１本目の電線２５ａの表示が青色の細い破線に変換される。このとき、該２本目の電線２５ｂの残作業時間４６ｂとしては、該２本目の電線２５ｂの基準作業時間、例えば２分（２：００）に、一つ前の１本目の電線２５ａの残作業時間４６ａの余剰値（１：００）を足した時間（２：１０）が、図３に示すように、まず最初に表示され、それから１秒経過する度に、該時間（２：１０）から該２本目の電線２５ｂの表示開始後の経過時間を引いた時間が順次表示される。それらの電線２５ｂの表示と残作業時間４６ｂの表示とを参考に、配線作業者が実際の配電盤で実際に２本目の電線を、残作業時間４６ｂ内に作業を完了させることを目標に配線する。そして、その２本目の電線の配線作業が完了すると、配線作業者は、次表示ボタン３１を選択する。その次表示ボタン３１を選択するタイミングも１ページ目と同様に様々であるが、ここでは、例えば、該２本目の電線２５ｂの表示開始から２分２０秒（２：２０）後、すなわち、残作業時間４６ｂが０になった後の遅滞値（０：１０）のときに選択したものとする。
【００４４】
［３ページ目］
そして、このようにして次表示ボタン３１が選択されると、図４に示すように、実体配線図２２の３ページ目に、その次に配線すべき３本目の電線２５ｃが、例えば、ノイズフィルタ２３ｑの所定の端子２４とパワーシーケンス２３ｒの所定の端子２４とを結ぶ赤色の太い破線で表示されるとともに、一つ前に配線した２本目の電線２５ｂの表示が青色の細い破線に変換され、二つ前に配線した１本目の電線２５ａの表示が消える。このとき、実体配線図２２は、例えば、図３に示す前のページ（２ページ目）の表示範囲のままでは該３本目の電線２５ｃの両端を表示できないときには、図４に示すように、該両端を表示できるように自動的にスクロールして表示される。また、このとき、該３本目の電線２５ｃの残作業時間４６ｃとしては、該３本目の電線２５ｃの基準作業時間、例えば２分（２：００）から、一つ前の２本目の電線２５ｂの残作業時間４６ｂの遅滞値（０：１０）を引いた時間（１：５０）が、図４に示すように、まず最初に表示され、それから１秒経過する度に、該時間（１：５０）から該３本目の電線２５ｃの表示開始後の経過時間を引いた時間が順次表示される。そして、それらの電線２５ｃの表示と残作業時間４６ｃの表示とを参考に、配線作業者が実際の配電盤で実際に３本目の電線を、残作業時間４６ｃ内に作業を完了させることを目標に配線する。そして、その３本目の電線の配線作業が完了すると、配線作業者は、次表示ボタン３１を選択する。
【００４５】
本実施例１によれば、次の［Ａ］〜［Ｃ］の効果を得ることができる。
【００４６】
［Ａ］ディスプレイ２０に、配電盤の部品２３ｐ，２３ｑ，２３ｒを実体的な形状及び配置で表示し、かつ、次表示ボタン３１が選択される度に、順次、一つ次に配線すべき電線２５ｂ，２５ｃを、配電盤の部品２３ｐ，２３ｑ，２３ｒの所定の端子２４，２４・・間を結ぶ線で表示し、かつ、このとき、一つ前に配線した電線２５ａ，２５ｂは色及び太さの異なる線で表示し、二つ前に配線した電線は表示しないため、配線作業者に、視覚的に把握しやすい実体配線図２２を、一つ次に配線すべき電線２５ｂ，２５ｃに注視できるような態様で示すことができる。そのため、実際の配電盤の一つ次に配線すべき部品及びその端子を探し易くすることができ、それにより、作業効率を高めるとともに配線ミスを防止することができる。
【００４７】
［Ｂ］ディスプレイ２０に、次表示ボタン３１が選択される度に、順次、一つ次に配線すべき電線２５ｂ，２５ｃの残作業時間４６ｂ，４６ｃを表示し、その残作業時間４６ｂ，４６ｃは、一つ前の電線２５ａ，２５ｂの残作業時間４６ａ，４６ｂが０になる前の余剰値のときに、次表示ボタン３１が選択された場合には、該余剰値を加算して表示し、一つ前の電線２５ａ，２５ｂの残作業時間４６ａ，４６ｂが０になった後の遅滞値のときに、次表示ボタン３１が選択された場合には、該遅滞値を減算して表示するため、一つの配線が早くできれば次の配線に余裕をもてる一方、一つの配線が遅れれば次の配線を早める、といった目安を配線作業者に与えて、トータルの配線時間を認識させることができる。そのため、それによっても、作業効率を高めることができる。
【００４８】
［Ｃ］ディスプレイ２０に、一つ次に配線すべき電線２５ａ，２５ｂ，２５ｃに関する電線情報４１と、該電線２５ａ，２５ｂ，２５ｃの両端の端子に関する電線側端子情報４２，４３とを表示するため、実際に一つ次に配線すべき電線を簡単に確認することができる。
【実施例２】
【００４９】
図５（ａ）に示す本実施例２の配線支援装置５２は、実施例１と略同様であるが、キーボード及びマウス又はタッチパッド等の操作部を備えないハンドヘルド型のパソコンからなり、ディスプレイ２０に表示される各操作ボタン３１〜３８が、触れると感知するタッチパネルである点で実施例１と相違している。
【実施例３】
【００５０】
図５（ｂ）に示す本実施例３の配線支援装置５３は、実施例２と略同様であるが、ディスプレイ２０に各操作ボタン３１〜３８が表示される代わりに、それら各操作ボタン３１〜３８がディスプレイ２０の周囲に、スイッチボタンとして設けられている点で実施例２と相違している。
【００５１】
なお、本発明は上記実施例１〜３の構成に限定されるものではなく、発明の趣旨から逸脱しない範囲で変更して具体化することもできる。
【符号の説明】
【００５２】
９    配線支援装置
２０    ディスプレイ
２５ａ  電線（１本目）
２５ｂ  電線（２本目）
２５ｃ  電線（３本目）
３１    次表示ボタン
３２    前表示ボタン
３３    一時停止ボタン
４６ａ  残作業時間（１本目の電線）
４６ｂ  残作業時間（２本目の電線）
４６ｃ  残作業時間（３本目の電線）
５２    配線支援装置
５３    配線支援装置
【図１】
2010246349.tif 000003
【図２】
2010246349.tif 000004
【図３】
2010246349.tif 000005
【図４】
2010246349.tif 000006
【図５】
2010246349.tif 000007
【図６】
2010246349.tif 000008